(57)【要約】【課題】歌唱者の息継ぎにあわせて酸素を過給する。【解決手段】マイクロホンと、演奏手段と、歌唱旋律中の息継ぎ箇所に対応した開弁符号を含んだ楽曲別のカラオケデータを格納した記憶手段と、高酸素濃度空気を収容した容器と、マイクロホンに配設されマイクロホンに向かって歌う人の口吻に高酸素濃度空気を噴射可能な噴き出し口と、容器内の高酸素濃度空気を噴き出し口に導く空気通路と、空気通路に配設され制御手段の制御により開弁された際、容器の高酸素濃度空気を噴き出し口から噴出させる弁を備えた酸素過給手段とを備え、リクエスト曲のカラオケデータに基づいて演奏手段により伴奏音楽を出力させる際、伴奏音楽の出力期間における当該カラオケデータ中の開弁符号の出現タイミングで酸素過給手段の弁を開弁させるカラオケ装置とする。【選択図】図２
2010145952.tif 000002
【特許請求の範囲】
【請求項１】
記憶手段と、酸素過給手段と、制御手段と、マイクロホンと、演奏手段を備えたカラオケ装置であって、
記憶手段は、楽曲別のカラオケデータを格納し、
カラオケデータは、歌唱旋律中の息継ぎ箇所に対応した開弁符号を含み、
酸素過給手段は、容器と、空気通路と、噴き出し口と、弁を備え、
容器は、高酸素濃度空気を収容し、
空気通路は、容器内の高酸素濃度空気を噴き出し口に導き、
噴き出し口は、マイクロホンに配設され、マイクロホンに向かって歌う人の口吻に高酸素濃度空気を噴射可能であり、
弁は、空気通路に配設され、制御手段の制御により開弁された際、容器の高酸素濃度空気を噴き出し口から噴出させ、
制御手段は、リクエスト曲のカラオケデータに基づいて演奏手段により伴奏音楽を出力させる際、伴奏音楽の出力期間における当該カラオケデータ中の開弁符号の出現タイミングで酸素過給手段の弁を開弁させる
カラオケ装置。
【請求項２】
噴き出し口は、マイクロホンのウインドカバー内に配設されている
請求項１に記載のカラオケ装置。
【請求項３】
噴き出し口は、マイクロホンのウインドカバーの外周部分に複数個配設されている
請求項１に記載のカラオケ装置。
【請求項４】
弁は、手動操作により開閉可能である
請求項１に記載のカラオケ装置。
【請求項５】
弁は、マイクロホンに配設されている
請求項４に記載のカラオケ装置。
【請求項６】
開弁符号は、時間的に、歌唱旋律中の息継ぎ箇所の少し手前に配置されている
請求項１に記載のカラオケ装置。
【発明の詳細な説明】
【技術分野】
【０００１】
この発明は、マイクロホンを手持ちしてカラオケ歌唱する人の口吻に向けてマイクロホンから高酸素濃度の空気を噴射する機能を付加したカラオケ装置に関し、とくに、実際に歌っている楽曲に基づいて息継ぎのタイミングに合わせて高酸素濃度空気を間欠的に噴射するものに関する。
【背景技術】
【０００２】
医療やスポーツやリラクゼイションなどの分野において、意図的に、大気より酸素濃度を高くした空気を人が吸入するという行為がさまざまな態様で実施されている。それぞれの目的に合わせて、高酸素濃度空気を人が吸入するためのさまざまな器具が開発されている。たとえば、特開平８−１８９２１１号公報には、酸素供給機構を備えた浴室について開示されている。実用新案登録第３１２４９０３号公報には、酸素吸入機能を備えたフィットネス装置が開示されている。最近、酸素バーと称されるお店が都会の街中に出現している。カプセル内に人が横になり、静かな音楽を聴きながらカプセル内に供給される高酸素濃度空気を吸い、しばし休息するという場を提供している。
【特許文献１】特開平８−１８９２１１号公報
【特許文献２】実用新案登録第３１２４９０３号公報
【発明の開示】
【０００３】
カラオケを歌うことは、ストレスを解消し、リラックスした気分をもたらしたり、あるいは活動的な高揚した気分をもたらしたりし、人々がおおいに楽しみにしている行為である。このカラオケの楽しみに、高酸素濃度の空気を吸うことの生理的な効果をプラスしようと発明者は考えた。
【０００４】
この発明に係るカラオケ装置は、つぎの事項（１）〜（９）により特定される構成を備えたものである。 
（１）記憶手段と、酸素過給手段と、制御手段と、マイクロホンと、演奏手段を備えたカラオケ装置であること
（２）記憶手段は、楽曲別のカラオケデータを格納すること
（３）カラオケデータは、歌唱旋律中の息継ぎ箇所に対応した開弁符号を含むこと
（４）酸素過給手段は、容器と、空気通路と、噴き出し口と、弁を備えること
（５）容器は、高酸素濃度空気を収容すること
（６）空気通路は、容器内の高酸素濃度空気を噴き出し口に導くこと
（７）噴き出し口は、マイクロホンに配設され、マイクロホンに向かって歌う人の口吻に高酸素濃度空気を噴射可能であること
（８）弁は、空気通路に配設され、制御手段の制御により開弁された際、容器の高酸素濃度空気を噴き出し口から噴出させること
（９）制御手段は、リクエスト曲のカラオケデータに基づいて演奏手段により伴奏音楽を出力させる際、伴奏音楽の出力期間における当該カラオケデータ中の開弁符号の出現タイミングで酸素過給手段の弁を開弁させること。
【０００５】
＝＝＝発明の効果＝＝＝
この発明のカラオケ装置は、歌唱者に向けて高酸素濃度空気を単純に垂れ流しにするのではない。カラオケ伴奏音楽に合わせて歌う場合、歌唱者が息を吸うタイミングは決まっている。周知のように息継ぎのタイミング情報は各楽曲の楽譜に付加される。同様にして、各楽曲のカラオケデータに息継ぎのタイミング等を付加することは周知である。この技術を応用し、この発明においては、歌唱者が口吻の前に構えているマイクロホンから、実際に歌っている楽曲に基づいて息継ぎのタイミングに合わせて高酸素濃度空気を間欠的に噴射するので、効率よく高酸素濃度空気を歌唱者に吸引させることができる。
【発明を実施するための最良の形態】
【０００６】
＝＝＝装置の構成＝＝＝
図１は、本実施例に係るマイクロホン１８の内部構造を模式的に示す断面図である。また図２は、本発明の第１の実施例に係る酸素過給手段の装置構成を模式的に例示している。
【０００７】
マイクロホン１８は、集音した音波を電気信号に変換するマイクロホンユニット１８１と、マイクロホンユニット１８１を支持するマイクロホンケース（マイクグリップ）１８２と、マイクロホンユニット１８１を保護するようマイクロホンケース１８２に被せられた金網状のウインドカバー１８３とを含んで構成される。
【０００８】
マイクロホンケース１８２からはチューブ状の空気通路１９３が導出され、電磁弁１９４を介し、高酸素濃度空気で満たされた容器１９１に接続されている。空気通路１９３の他方端はマイクロホンケース１８２を貫通し、その先端部（噴き出し口１９２）が、ウインドカバー１８３の内側に配設されている。
【０００９】
容器１９１は、空気通路１９３に着脱可能に構成されている。数リットル程度の容量の容器１９１は、周知の酸素ボンベと同様の構造であり、酸素濃度が４０％程度以上の大気より高酸素濃度の空気が圧縮されて収容され、大気圧より高い所定範囲の気圧に保持されている。容器１９１から高酸素濃度空気が放出され、その内部気圧が所定以下に減少した場合には、酸素ボンベを交換する要領で、バルブを閉めて当該容器１９１を空気通路１９３から取り外し、別の十分に高酸素濃度空気が充填されている容器１９１を空気通路１９３に取り付けてバルブを開ける。図３に例示した容器１９１は、電磁弁１９４を内蔵した接続ユニット（バルブ）を介して空気通路１９３と接続する。
【００１０】
電磁弁１９４は、空気通路１９３を開放したり閉塞したりする。電磁弁１９４が開弁されると、空気通路１９３が開放され、容器１９１内の高酸素濃度空気が空気通路１９３を介して噴き出し口１９２から噴出し、メッシュ状のウインドカバー１８３を介してマイクロホン１８を使用している歌唱者の口吻に過給される。同様に、電磁弁１９４が閉弁されると、空気通路１９３が閉塞され、高酸素濃度空気の噴出が停止する。
【００１１】
＝＝＝カラオケ装置の基本構成＝＝＝
本実施例のカラオケ装置は、周知の通信カラオケシステムの演奏端末１０で、汎用パソコンの応用装置である。図４にそのブロック構成を例示した。ＣＰＵ・ＲＡＭ・ＲＯＭを含む中央制御部１１が、周辺構成部を制御して演奏端末１０を統括する。ハードディスク装置１２には、メインコンピュータのプログラムのほか、伴奏音楽や歌詞画像の起源となるカラオケデータを、楽曲ＩＤに対応付けして集約した楽曲データベースが記憶されている。
【００１２】
また本実施例において、中央制御部１１はドライバ１９を制御して、電磁弁１９４を駆動可能に構成されている。 
電磁弁１９４は、空気通路１９３を開放したり閉塞したりする鉄片（弁体）と、電磁石で構成され、中央制御部１１の制御により電磁石に電流を流すことで、磁力により鉄片（弁体）を動かして開弁する。逆に、中央制御部１１の制御により電磁石へ流す電流を停止させ磁力をゼロにすることで、鉄片をもとの位置に戻して閉弁する。
【００１３】
なお、電磁弁１９４には、弁体を手動操作で開閉可能な開弁ボタン１９５も配設されている。ボタン１９５を押下している間、開弁し、ボタン１９５から手を離すと閉弁する。
【００１４】
＝＝＝カラオケデータの構成＝＝＝
各曲用のカラオケデータは、ＭＩＤＩデータを主体とした伴奏音楽データと、歌詞字幕の生成起源となる歌詞描出データと、背景映像の処理シーケンスを規定した台本データを含み、それらを楽曲ＩＤに対応付けしたデータ集合である。
【００１５】
カラオケデータは、伴奏音楽データなどに適宜なタイミング符号を付加することにより、再生時間軸上の箇所（時点）や期間を特定可能である。そして特定された区間に、特定の動作を行なうカラオケ装置が、多数開示されている。
【００１６】
たとえば特許第４０５６６３１号公報に記載されているカラオケ装置は、カラオケデータの後奏パートの所定位置に付加したタイミング符号の時点から、歌唱採点結果の表示を開始する。 
特許第３７７２０７２号公報に記載のカラオケ装置は、カラオケデータに付加された非歌唱区間情報に基づいて、スポット番組を割り当てて上演する。 
特許第３７２９７７３号公報のカラオケ装置は、カラオケデータに付加され識別された歌唱区間においては、歌声テンポを検出して演奏テンポを追随させ、間奏区間には標準テンポで演奏する。 
特許第３５４７３９６号公報に記載のカラオケ装置は、カラオケデータに付加されている合奏可能区間に、歌唱者のスキャット入力に基づいてシンセサイザ音を出力する。
【００１７】
このような開示技術と同様にして、本実施例においては、歌唱旋律中の歌唱時に息継ぎすべき箇所に対応して、電磁弁１９４を開弁すべき時点を示す開弁符号と、閉弁すべき時点を示す閉弁符号とが付加されている。言い換えれば、開弁符号は、電磁弁１９４を開弁して、噴き出し口１９２から高酸素濃度空気の噴出を開始させる時点を示し、閉弁符号は、電磁弁１９４を閉弁して、その噴出を停止させる時点を示すものである。
【００１８】
より具体的には、開弁してから容器１９１から空気通路１９３を介して噴き出し口１９２に高酸素濃度空気が到達する時間を考慮して、息継ぎ開始箇所より所定時間だけ早いタイミングで開弁するように、開弁符号が付加されている。
【００１９】
なお、閉弁符号の付加は必ずしも必要ではない。開弁から所定時間の後に閉弁するようにあらかじめ取り決めておけば、閉弁符号は不要となる。一般に一度の息継ぎに必要十分な時間を、所定の開弁時間としてあらかじめ取り決めておけば足りる。たとえば開弁時間を２秒として、開弁から２秒後に閉弁させることにする。
【００２０】
このように、開弁時間を一定値にしてもよいが、数パターンの開弁時間を決めておいてもよい。たとえば、「長」「中」「短」の３パターンの開弁時間を取り決めておき（それぞれのパターンに対応した３種の開弁符号を決めておく。）、息継ぎ箇所に合わせて、どのパターンの開弁時間とするかをカラオケデータに付加しておく。たとえば、これからクレッシェンド（だんだん音を大きくする）になる直前のような、ゆっくりと大きく息を吸い込む息継ぎ箇所には、開弁時間を長くするよう、「長」開弁符号を付加する。またこれから早いテンポで小刻みに音程が変わる直前のような、短時間に迅速に息継ぎをする箇所には、「短」開弁符号を付加する。そうすると、吸入できるのに高酸素濃度空気が不足したり、吸う間もないのに高酸素濃度空気が無駄に噴出したりすることがなくなり、さらに効率よく過給できる。
【００２１】
＝＝＝カラオケ演奏時の酸素過給制御＝＝＝
演奏端末１０は、カラオケ演奏時にカラオケデータに基づいて、電磁弁１９４を開閉することにより、酸素過給制御を行なう機能を備えている。すなわち演奏端末１０の中央制御部１１は、カラオケ演奏時に、カラオケデータに付加されている開弁符号と閉弁符号に基づいて、弁１９４の開閉による酸素過給制御を行なう。カラオケデータ再生処理中に開弁符号が付加された位置になると、中央制御部１１は、電磁弁１９４を開弁させる。また閉弁符号が付加された位置になると、電磁弁１９４を閉弁させる処理を行なう。
【００２２】
このようにして、本実施例のカラオケ装置は、カラオケデータの開弁符号・閉弁符号に基づいて、電磁弁１９４の開閉を制御して、空気通路１９３を介してマイクロホン１８の噴き出し口１９２から高酸素濃度空気を噴射させたり停止させたりして、マイクロホン１８を使う歌唱者の口吻に対して、息継ぎのタイミングにあわせて効率よく酸素を過給することができる。
【００２３】
＝＝＝その他の実施形態＝＝＝
＜第２の実施例＞
第２の実施例は、図５に例示したように、空気通路１９３のマイクロホン１８側の先端部が円環をなし、その円環の外周上に複数の噴き出し口１９２が適宜な間隔で配設されている。この円環状の空気通路１９３の先端部は、ウインドカバー１８３の外周部分に嵌合可能に構成されている。その他の構成は、上記実施例（第１の実施例）と同様である。
【００２４】
このように、ウインドカバー１８３の外周部分に複数個の噴き出し口１９２が適宜に分散して配設されることにより、歌唱者がどのような方向でマイクロホン１８を持っても、いずれかの噴き出し口１９２が歌唱者の口吻に対向しやすい。また、空気通路１９３および噴き出し口１９２がマイクロホン１８に着脱可能であるため、歌唱する姿勢を決めてから装着することができ、より快適に使用できる。また、既存のマイクロホン１８に簡単に適用できる。とくに、ワイヤレスタイプのマイクロホン１８にも適用できるので、利用できる場面が拡大する。
【００２５】
＜第３の実施例＞
第３の実施例の空気通路１９３は、第２の実施例と同様に、先端部が円環状で、その円環の外周上に複数個の噴き出し口１９２が適宜な間隔で配設されたものである。この空気通路１９３がマイクロホンケース１８２に内蔵され、その円環状の先端部がウインドカバー１８３と一体化されて構成されている（図６参照）点のみが、第２の実施例とは異なっている。第１の実施例と同様に空気通路１９３の全体をマイクロホンケース１８２に内蔵するように、空気通路１９３先端部の円環をウインドカバー１８３内の空間に収め、円環がマイクロホンユニット１８１の周りを取り囲むように配設してもよい。
【００２６】
噴き出し口１９２が複数個、適宜に分散して配設されることにより、歌唱者がどのような向きでマイクロホン１８を持っても、いずれかの噴き出し口１９２が歌唱者の口吻に対向しやすく、確実に高酸素濃度空気を過給できる。
【００２７】
＜第４の実施例＞
第４の実施例は、弁１９４がマイクロホン１８の噴き出し口１９２に配設され、弁１９４が噴き出し口１９２を直接に開閉するように構成されている点のみが、上記第１の実施例と異なる。弁１９４が噴き出し口１９２に近づくほど、開弁と歌唱者への高濃度酸素空気の過給開始とのタイムラグを小さくできるので、装置の設計上、誤差が生じにくく好ましい。 
この場合、弁１９４の開閉を手動操作するスイッチがマイクロホン１８に配設されることになるので、歌唱者が手動操作しやすく便利である。
【００２８】
＜第５の実施例＞
容器１９１は、酸素発生装置や酸素供給装置などの一部として、発生・供給された酸素を一時的に貯留するためのバッファ容器（一時貯蔵容器）である点が、上記第１の実施例と異なる。この場合、容器１９１は空気通路１９３からの着脱は不要である。容器１９１から高酸素濃度空気が空気通路１９３に流出すると、同容量の発生酸素がコンプレッサーを介して容器１９１に流入するように構成される。したがって、容器１９１には常に、ほぼ一定の容量の高酸素濃度空気が収容されていることになるので、高酸素濃度空気が不足することなくいつでも過給できて便利である。
【００２９】
＜その他＞
弁１９４の手動操作による開閉について、図３に例示したような、弁体を直接的に開閉させるボタン１９５を配設する方式のほか、適宜に設けた開弁指示用ユーザインタフェースによって指示することにより、中央制御部１１がドライバ１９を駆動可能に構成にしても実現可能である。いずれの方式をとっても、弁を手動操作により開閉可能とすることで、楽譜上の息継ぎ箇所でなくても、歌唱者自身が必要と感じたときに高酸素濃度空気を吸入できるので、より酸素過給の効率が上がる。
【００３０】
なお、電磁弁１９４は空気通路１９３の途中に配設してもよい。弁１９４が噴き出し口１９２に近づくほど、開弁と歌唱者への高濃度酸素空気の過給開始とのタイムラグを小さくできる。
【００３１】
また、容器１９１は、１台の演奏端末１０につき１つと限定するものでもなく、複数台の演奏端末１０で容器１９１を共有する形態も、本発明に含まれる。たとえば、カラオケ集合店舗の複数ある客室のそれぞれに１台ずつ備えられた演奏端末１０に対して、店舗に１〜数台の酸素供給装置のバッファ容器（容器１９１）から、各客室にのばした配管（空気通路１９３）を介して高酸素濃度空気を供給する形態も、本発明に含むものである。その場合にも、電磁弁１９４は各演奏端末１０に少なくとも１つずつ備わり、各客室内に到達した配管を、同室内の演奏端末１０が制御する電磁弁１９４により開放／閉塞する。
【図面の簡単な説明】
【００３２】
【図１】本実施例に係るマイクロホンの内部構造を模式的に示す断面図である。
【図２】本実施例に係る酸素過給手段の装置構成を模式的に例示している。
【図３】本実施例に係る容器の構成例である。
【図４】本実施例に係るカラオケ装置のブロック構成を例示している。
【図５】第２の実施例に係る空気通路および噴き出し口を例示した図である。
【図６】第３の実施例に係る空気通路および噴き出し口を例示した図である。
【符号の説明】
【００３３】
１１  中央制御部
１９  ドライバ
１９１  容器
１９２  噴き出し口
１９３  空気通路
１９４  （電磁）弁
【図１】
2010145952.tif 000003
【図２】
2010145952.tif 000004
【図３】
2010145952.tif 000005
【図４】
2010145952.tif 000006
【図５】
2010145952.tif 000007
【図６】
2010145952.tif 000008